(57)【特許請求の範囲】
【請求項１】
遊技機の前面に設けられるボタン式演出操作装置において、
前記遊技機の前記前面から前方に延出する基準部位より突出可能なボタン部を有する操作体と、
前記基準部位の前記ボタン部の突出側とは反対側にて前記操作体を進退可能に支持する駆動手段とを備えて、
当該駆動手段は、前記操作体を、初期段階には、前記基準部位からバネ手段により瞬時に突出させ、ついで、後段階にて、回転運動−直線運動変換機構により前記初期段階よりも遅い速度にて、大きく突出させるようにしたことを特徴とする遊技機のためのボタン式演出操作装置。
【請求項２】
前記操作体は、前記ボタン部を筒状のボタン部として、この筒状のボタン部を、バネを介し柱部に摺動可能に嵌装して構成されており、
前記駆動手段において、前記回転運動−直線運動変換機構は、
第１及び第２のモータと、
前記第１モータにより駆動される第１駆動歯車と、
前記第２モータに相対回転自在に同軸的に支持されて所定角度だけ往復回動するセクター歯車と、
前記第２モータに相対回転不能に同軸的に支持される第２駆動歯車と、
前記柱部と同軸的に連結されるラックと、前記セクター歯車の一部に回転可能に支持されて前記第２駆動歯車と噛合するとともに前記ラックと選択的に噛合するピニオンとを具備し、
前記バネ手段は、前記基準部位と前記柱部との間に介装されて当該柱部を前記操作体の突出方向に向けて付勢するコイルスプリングからなり、
前記ラックは、前記操作体とともに、前記初期段階には、前記セクター歯車の一方向回転に伴う前記ピニオンからの解離に基づき、前記コイルスプリングにより瞬時に突出され、ついで、前記後段階にて、前記セクター歯車の他方向回転に伴う前記ピニオンとの噛合に基づき、前記第２駆動歯車により駆動される前記ピニオンの回転に伴い、前記瞬時の突出による速度よりも遅い速度にて、大きく突出されるようにしたことを特徴とする請求項１に記載の遊技機のためのボタン式演出操作装置。
【請求項３】
前記操作体は、前記ボタン部を筒状のボタン部として、この筒状のボタン部を、バネを介し柱部に摺動可能に嵌装して構成されており、
前記駆動手段において、前記回転運動−直線運動変換機構は、
第１及び第２のモータと、
前記第１モータにより駆動される第１駆動歯車と、
前記第２モータに相対回転自在に同軸的に支持されて所定角度だけ往復回動するセクター歯車と、
前記第２モータに相対回転不能に同軸的に支持される第２駆動歯車と、
前記柱部と同軸的に連結されるラックと、前記セクター歯車の一部に回転可能に支持されて前記ラックと選択的に噛合するピニオンとを具備し、
前記バネ手段は、前記基準部位と前記柱部との間に介装されて当該柱部を前記操作体の突出方向に向けて付勢するコイルスプリングからなり、
前記ラックは、
前記ピニオンとの噛合のもとに、前記コイルスプリングを前記柱部により圧縮させるように、前記操作体とともに原位置に維持され、
前記初期段階には、前記セクター歯車の一方向回動に伴う前記ピニオンからの解離に基づき、前記コイルスプリングにより前記操作体とともに瞬時に突出され、
ついで、前記後段階にて、前記セクター歯車の他方向回動に伴う前記ピニオンとの再度の噛合に基づき、前記第２駆動歯車により一方向回転駆動される前記ピニオンの回転に伴い、前記瞬時の突出による速度よりも遅い速度にて、大きく突出されるようにしたことを特徴とする請求項１に記載の遊技機のためのボタン式演出操作装置。
【請求項４】
前記ラックは、前記後段階にて大きく突出した後、前記ピニオンとの前記再度の噛合の状態にて、前記第２駆動歯車により他方向回転駆動される前記ピニオンの回転に伴い、前記柱部により前記コイルスプリングを圧縮しながら前記操作体とともに前記原位置に戻るようにしたことを特徴とする請求項３に記載の遊技機のためのボタン式演出操作装置。
【発明の詳細な説明】
【技術分野】
【０００１】
本発明は、パチンコ遊技機やスロットマシンなどの遊技機に係り、特に、当該遊技機において、遊技者等に対し、何らかの有利な遊技状態を期待させるために操作させるようにした遊技機のためのボタン式演出操作装置に関する。
【背景技術】
【０００２】
従来、この種の遊技機のうち、例えば、パチンコ遊技機においては、下記特許文献１に記載のパチンコ遊技機が提案されている。このパチンコ遊技機は、操作手段、筒状の案内手段及び移動駆動手段を備えており、当該パチンコ遊技機は、その操作手段にて、遊技機本体に設けた上皿カバーの開口孔から操作ボタンを遊技機本体の前側へ露出させるようにして、上皿カバーにその裏側から設けられている。
【０００３】
しかして、当該パチンコ遊技機においては、操作手段が、操作ボタンを遊技機本体の内部方向に退去させる退去位置から操作ボタンを遊技機本体の外部方向に上皿カバーの開口孔から突出させる突出位置へ或いはこの突出位置から上記退去位置へ筒状の案内手段に沿い摺動自在となるように当該の案内手段により保持されている。
【０００４】
ここで、操作手段の操作ボタンは、移動駆動手段の通電に伴う駆動軸の前方への進出により付勢手段の弾力でもって上記退去位置から上記突出位置へ筒状の案内手段に沿い摺動し、また、移動駆動手段の非通電に伴う駆動軸の後方への退去に応じて筒状の案内手段に沿い摺動するようになっている。
【０００５】
これにより、操作ボタンが上記突出位置に位置する状態において、遊技者が、操作ボタンをその前方からたたくことで、操作ボタンが付勢手段の弾力に抗して移動駆動手段側へ変位したことを検出したときに、遊技者に対し何らかの有利な遊技状態を期待させる演出表示を行う。
【先行技術文献】
【特許文献】
【０００６】
【特許文献１】特許第３９８９２８７号公報
【発明の概要】
【発明が解決しようとする課題】
【０００７】
ところで、上記パチンコ遊技機においては、操作手段における操作ボタンの退去位置からの突出範囲が、案内手段により上記退去位置から上記突出位置までの範囲に規制されているため、操作ボタンの上皿カバーからの突出度合いが少ない。従って、操作ボタンがその突出により遊技者に訴える効果が低い。
【０００８】
このため、遊技者は、操作ボタンの突出を見逃しがちになったり、また、操作ボタンの突出に気がついても、突出した操作ボタンをたたこうとする意思を発揮させにくい。
【０００９】
これに対し、操作ボタンの上皿カバーからの突出度合いを増大させたとしても、当該操作ボタンの突出態様が、単調でしかなければ、上述と同様に、操作ボタンがその突出により遊技者に訴える効果が低いことに変わりがない。
【００１０】
そこで、本発明は、以上のようなことに対処するため、ボタン部を２段階にて大きく突出させるように工夫を凝らし、ボタン部の突出を遊技者に対して強く認識させるようにした遊技機のためのボタン式演出操作装置を提供することを目的とする。
【課題を解決するための手段】
【００１１】
上記課題の解決にあたり、本発明は、請求項１の記載によれば、遊技機の前面に設けられるボタン式演出操作装置において、
遊技機の上記前面から前方に延出する基準部位（３３）より突出可能なボタン部（４１）を有する操作体（４０）と、
上記基準部位の上記ボタン部の突出側とは反対側にて操作体を進退可能に支持する駆動手段（５０）とを備えて、
当該駆動手段は、操作体を、初期段階には、上記基準部位からバネ手段（５２）により瞬時に突出させ、ついで、後段階にて、回転運動−直線運動変換機構（５１、５３〜５８）により上記初期段階よりも遅い速度にて、大きく突出させるようにしたことを特徴とする遊技機のためのボタン式演出操作装置である。
【００１２】
このような構成によれば、演出操作装置が、操作体を、上述のごとく、初期段階及び後段階という２段階に分けて大きく上動させるように構成されているので、遊技者は、上述のようなボタンの突出を強く認識することができる。
【００１３】
また、本発明は、請求項２の記載によれば、請求項１に記載の遊技機のためのボタン式演出操作装置において、
操作体は、上記ボタン部を筒状のボタン部として、この筒状のボタン部を、バネ（４２）を介し柱部（４３）に摺動可能に嵌装して構成されており、
駆動手段において、回転運動−直線運動変換機構は、
第１及び第２のモータ（５７、５８）と、
第１モータ（５８）により駆動される第１駆動歯車（５５）と、
第２モータ（５７）に相対回転自在に同軸的に支持されて所定角度だけ往復回動するセクター歯車（５６）と、
第２モータに相対回転不能に同軸的に支持される第２駆動歯車（５４）と、
上記柱部と同軸的に連結されるラック（５１）と、セクター歯車の一部に回転可能に支持されて第２駆動歯車と噛合するとともにラックと選択的に噛合するピニオン（５３）とを具備し、
バネ手段は、上記基準部位と上記柱部との間に介装されて当該柱部を操作体の突出方向に向けて付勢するコイルスプリングからなり、
ラックは、操作体とともに、上記初期段階には、セクター歯車の一方向回転に伴うピニオンからの解離に基づき、前記コイルスプリングにより瞬時に突出され、ついで、前記後段階にて、前記セクター歯車の他方向回転に伴うピニオンとの噛合に基づき、第２駆動歯車により駆動されるピニオンの回転に伴い、上記瞬時の突出による速度よりも遅い速度にて、大きく突出されるようにしたことを特徴とする。
【００１４】
これによれば、ラックは、ピニオンとの噛合のもとに、コイルスプリングを柱部により圧縮させるように、操作体とともに原位置に維持されているとき、当該ラックは、初期段階には、セクター歯車の一方向回動に伴うピニオンからの解離に伴い、コイルスプリングにより操作体とともに瞬時に突出され、ついで、後段階にて、セクター歯車の他方向回転に伴うピニオンとの再度の噛合に基づき、第２駆動歯車により一方向回転駆動されるピニオンの回転に伴い、上記瞬時の突出による速度よりも遅い速度にて、大きく突出される。その結果、請求項１に記載の発明の作用効果がより一層確実に達成され得る。
【００１５】
また、本発明は、請求項３の記載によれば、請求項１に記載の遊技機のためのボタン式演出操作装置において、
操作体は、上記ボタン部を筒状のボタン部として、この筒状のボタン部を、バネ（４２）を介し柱部（４３）に摺動可能に嵌装して構成されており、
駆動手段において、回転運動−直線運動変換機構は、
第１及び第２のモータ（５７、５８）と、
第１モータ（５８）により駆動される第１駆動歯車（５５）と、
第２モータ（５７）に相対回転自在に同軸的に支持されて所定角度だけ往復回動するセクター歯車（５６）と、
第２モータに相対回転不能に同軸的に支持される第２駆動歯車（５４）と、
上記柱部と同軸的に連結されるラック（５１）と、セクター歯車の一部に回転可能に支持されてラックと選択的に噛合するピニオン（５３）とを具備し、
バネ手段は、上記基準部位と上記柱部との間に介装されて当該柱部を操作体の突出方向に向けて付勢するコイルスプリングからなり、
ラックは、
ピニオンとの噛合のもとに、コイルスプリングを上記柱部により圧縮させるように、操作体とともに原位置に維持され、
上記初期段階には、セクター歯車の一方向回動に伴うピニオンからの解離に基づき、コイルスプリングにより操作体とともに瞬時に突出され、
ついで、上記後段階にて、セクター歯車の他方向回動に伴うピニオンとの再度の噛合に基づき、第２駆動歯車により一方向回転駆動されるピニオンの回転に伴い、上記瞬時の突出による速度よりも遅い速度にて、大きく突出されるようにしたことを特徴とする。
【００１６】
これによっても、請求項２に記載の発明と同様の作用効果が達成され得る。
【００１７】
なお、請求項３に記載の発明において、
ラックがその原位置にあるときこれを検出する原位置検出手段（Ｓ１）と、
ラックがその上動初期位置にあるときこれを検出する上動初期位置検出手段（Ｓ２）と、
ラックがその上動終了位置にあるときこれを検出する上動終了位置検出手段（Ｓ３）と、
ラックがその原位置にあるとき、操作体の上記ボタン部に対する単打指令或いは連打指令があれは、第１駆動歯車及びセクター歯車を介しピニオンをラックから解離させるべく第１モータ（５８）を一方向回転させるように制御する第１制御手段（１００〜１１０）と、
ラックが前記原位置から上記上動初期位置に達したとき前記原位置検出手段の検出出力に基づき第１駆動歯車及びセクター歯車を介しピニオンをラックに噛合させるべく第１モータを他方向回転させるように制御する第２制御手段（１１１〜１２１）と、
ピニオンのラックとの噛合に伴い第２駆動歯車及びピニオンを介しラックをさらに上動させるべく第２モータを一方向回転させるように制御する第３制御手段（１２２、１３１）と、
この第３制御手段による制御後上記単打指令或いは連打指令に基づく演出内容調整指令処理の後、第２駆動歯車を介しピニオンによりラックを上記原位置に戻すように第２モータを他方向回転させるように制御する第４制御手段（１４０〜１６１）とを備えるようにしてもよい。
【００１８】
また、本発明は、請求項４の記載によれば、請求項３に記載の遊技機のためのボタン式演出操作装置において、
ラックは、上記後段階にて大きく突出した後、ピニオンとの上記再度の噛合の状態にて、第２駆動歯車（５４）により他方向回転駆動されるピニオンの回転に伴い、上記柱部によりコイルスプリングを圧縮しながら操作体とともに上記原位置に戻るようにしたことを特徴とする。
【００１９】
これにより、ラックは、操作体とともに原位置に確実に戻ることができる。このとき、コイルスプリングは、柱部により基準部位上に圧縮された状態にある。
【００２０】
なお、上記各手段の括弧内の符号は、後述する実施形態に記載の具体的手段との対応関係を示す。
【図面の簡単な説明】
【００２１】
【図１】本発明に係るパチンコ遊技機の一実施形態を、ボタン式演出操作装置のボタン部の原位置との関係にて示す斜視図である。
【図２】上記一実施形態におけるボタン式演出操作装置のボタン部の上動終了位置との関係にて示す斜視図である。
【図３】上記一実施形態におけるボタン式演出操作装置を、ボタン部の原位置との関係にて示す縦断面図である。
【図４】上記一実施形態におけるボタン式演出操作装置を、ボタン部の上動終了位置との関係にて示す縦断面図である。
【図５】上記一実施形態における操作体の円柱部及び駆動機構の斜視図である。
【図６】上記一実施形態におけるボタン式演出操作装置の分解斜視図である。
【図７】上記ボタン式演出操作装置の電気回路構成を示すブロック図である。
【図８】図７のマイクロコンピュータにより実行されるコンピュータプログラムを表すフローチャートである。
【図９】上記一実施形態におけるボタン式演出操作装置を、ピニオンのラックとの噛合における操作体及びラックの原位置との関係にて示す前面図である。
【図１０】上記一実施形態におけるボタン式演出操作装置を、ピニオンのラックからの解離における操作体及びラックの上動初期位置への上動との関係にて示す前面図である。
【図１１】上記一実施形態におけるボタン式演出操作装置を、ピニオンのラックとの再噛合における操作体及びラックの上動初期位置との関係にて示す前面図である。
【図１２】上記一実施形態におけるボタン式演出操作装置を、ピニオンのラックとの再噛合のもとに操作体及びラックを上動終了位置まで上動させた状態にて示す前面図である。
【発明を実施するための形態】
【００２２】
以下、本発明の一実施形態を図面により説明する。
【００２３】
図１は、本発明がパチンコ遊技機に適用されてなる一実施形態を示す。当該パチンコ遊技機は、パチンコホール内の島に立設されるもので、このパチンコ遊技機は、図１にて示すごとく、機枠Ｆ、遊技機本体Ｂ及び前扉Ｄにより構成されている。
【００２４】
遊技機本体Ｂは、その枠体（図示しない）にて、機枠Ｆに対し、前後方向に開閉可能に支持されているもので、当該遊技機本体Ｂは、遊技盤（図示しない）及び操作ハンドル１０を備えている。
【００２５】
上記遊技盤は、前扉Ｄのガラス板２０（後述する）の裏面側に位置するように、遊技機本体Ｂに設けられており、当該遊技盤は、その遊技領域内に球発射装置（図示しない）からの遊技球を案内して上記遊技領域に沿い下方に向けて転動させる。
【００２６】
操作ハンドル１０は、上記球発射装置（図示しない）の一構成部材として、遊技機本体Ｂの右側下部にその前面側から支持されており、この操作ハンドル１０は、遊技者による操作のもと、上記球発射装置に供給される遊技球を上記遊技盤の遊技領域内に向け発射するようになっている。なお、上記球発射装置は、遊技機本体Ｂの右側下部にその裏面側から取り付けられている。
【００２７】
前扉Ｄは、機枠Ｆに遊技機本体Ｂを介し前後方向に開閉可能に支持されている。この前扉Ｄは、図１にて示すごとく、矩形板状のガラス板２０及び球受け皿３０を備えている。ガラス板２０は、前扉Ｄの閉成時に上記遊技盤にその前側から対応して位置するように、前扉Ｄの開口部にその裏面側から組み付けられている。
【００２８】
球受け皿３０は、払い出されてきた賞球など遊技球を一旦貯留するように、前扉Ｄのうちガラス板２０の下側部位から前方へ受け皿状に延出されており、当該球受け皿３０は、図１にて示すごとく、外壁部材３０ａと、球収容部材３０ｂとにより構成されている。
【００２９】
外壁部材３０ａは、Ｕ字状外壁３１及び底壁３２からなるもので、Ｕ字状外壁３１は、前側壁部３１ａ及び左右両側壁部３１ｂでもってＵ字状に形成されている。底壁３２は、Ｕ字状外壁３１の下縁開口部を閉じるように、当該Ｕ字状外壁３１と一体的に形成されている。
【００３０】
しかして、当該外壁部材３０ａは、Ｕ字状外壁３１の左右両側壁部３１ｂ及び底壁３２にて、前扉Ｄのうちガラス板２０の下側部位から前方へ延出するようにガラス板２０の下側部位に取り付けられている。これにより、外壁部材３０ａは、下側に向けて凹状となるように形成されて、Ｕ字状外壁３１の上縁部及びガラス板２０の下側部位との間にて、上方へ開口する開口部を形成する。
【００３１】
球収容部材３０ｂは、環状上壁部３３と、凹状球収容部３４とを備えており、環状上壁部３３は、外壁部材３０ａの上記開口部に組付けられている。凹状球収容部３４は、周壁部３４ａと、この周壁部３４ｂの下端開口部を閉じる底壁部３４ｂとでもって、下方に向けて凹状となるように形成されており、この凹状球収容部３４の周壁部３４ａは、環状上壁部３３の中空内周部から下方へ延出するように、環状上壁部３３と一体的に形成されている。
【００３２】
これにより、凹状球収容部３４は、外壁部材３０ａ内に位置するように、環状上壁部３３により支持されて、上方に向けて開口する。なお、球収容部材３０ｂは、凹状球収容部３４内に払い出される遊技球を当該凹状球収容部３４内にて一時的に貯留するとともに、当該貯留遊技球を、例えば、操作ハンドル１０の回動操作に伴い、上記発射装置に供給する。
【００３３】
また、当該遊技盤本体Ｂは、図１〜図５のいずれかにて示すごとく、ボタン式演出操作装置Ｇを備えており、この演出操作装置Ｇは、そのボタン部４１を上下動可能に球受け皿３０から上方へ突出させるように、当該球受け皿３０内に支持されている。
【００３４】
演出操作装置Ｇは、図１〜図５のいずれかにて示すように、操作体４０及び駆動機構５０を備えており、操作体４０は、駆動機構５０により、Ｌ字状補助壁部材３０ｃを介し、球受け皿３０内にて上下動可能に支持されている。
【００３５】
ここで、Ｌ字状補助壁部材３０ｃは、球受け皿３０内にてそのＵ字状外壁３１の前側壁部３１ａと球収容部材３０ｂの凹状球収容部３４との間に形成される空所内に立設されているもので、このＬ字状補助壁部材３０ｃは、外壁部材３０ａの底壁３２から上方に向け立設される立壁部３５と、この立壁部３５の上端部から前側へＬ字状に延出する上壁部３６とにより構成されている。なお、立壁部３５は、その壁面にて、Ｕ字状外壁３１の前側壁部３１ａに沿うように位置し、また、上壁部３６は、その壁面にて、球収容部材３０ｂの環状上壁部３３に平行となるように位置している。
【００３６】
操作体４０は、図３、図４及び図６のいずれかにて示すごとく、ボタン部４１と、コイルスプリング４２と、円柱部４３とによって構成されている。ボタン部４１は、円筒状周壁部４１ａと、この周壁部４１ａと共に縦断面Ｕ字状となるように当該周壁部４１ａの上端開口部に一体的に形成した押打壁部４１ｂとを有しており、当該ボタン部４１は、円筒状周壁部４１ａにて、押打壁部４１ｂを上方に向け臨ませるように、球収容部材３０ｂの環状上壁部３３に形成した貫通穴部３３ａに下方から同軸的に上下動可能に挿通されている。なお、押打壁部４１ｂは、図３にて示すごとく、上に凸な断面円弧壁状に形成されている。
【００３７】
なお、ボタン部４１は、環状鍔部４１ｃを有しており、この環状鍔部４１ｃは、環状上壁部３３の貫通穴部３３ａの外周部に下方から当接するように、周壁部４１ａの下端開口部から半径方向へ外方に向け環状に突出形成されている。また、上述した貫通穴部３３ａは、図１或いは図２にて示すごとく、球収容部材３０ｂの環状上壁部３３の左右方向前側中間部位に形成されている。
【００３８】
円柱部４３は、コイルスプリング４２を介しボタン部４１の周壁部４１ａ内にその下端開口部から同軸的にかつ摺動可能に嵌装されており、当該円柱部４３は、その上端部４３ａとボタン部４３の押打壁部４１ｂとの間にてコイルスプリング４２を挟持している。これにより、円柱部４３はコイルスプリング４２の弾力によりボタン部４１の周壁部４１ａの下端開口部側へ付勢されている。
【００３９】
このように構成した操作体４０によれば、ボタン部４１が後述のごとく下動端位置（原位置）にあるとき、当該ボタン部１１の押打壁部４１ｂは、図１及び図３にて示すごとく、球収容部材３０ｂの環状上壁部３３の貫通穴部３３ａ内から上方を臨むように位置する。
【００４０】
一方、ボタン部４１が後述のごとく上動端位置（上動終了位置）にあるとき、当該ボタン部４１は、その押打壁部４１ｂにて、図２及び図４にて示すごとく、環状上壁部３３の貫通穴部３３ａから上方へ大きく突出されて、環状鍔部４１ｃでもって環状上壁部３３の貫通穴部３３ａの外周部に下方から当接している。
【００４１】
駆動機構５０は、図３〜図５のいずれかにて示すごとく、ラック−ピニオン機構５０ａを備えている。このラック−ピニオン機構５０ａは、操作体４０の円柱部４３と一体的なラック５１を有しており、このラック５１は、ラック本体５１ａと、上下両側案内ピン５１ｂ、５１ｃとにより構成されている。
【００４２】
ラック本体５１ａは、Ｌ字状補助壁部材３０ｃの立壁部３５に平行となるように、円柱部４３の下端部からコイルスプリング５２及び補助壁部材３０ｃの上壁部３６に形成した貫通穴部３６ａを通り下方に向け延出されている。なお、ラック本体５１ａは、角柱状のものであって、当該ラック本体５１ａは、その前後両壁部にて、Ｌ字状補助壁部材３０ｃの立壁部３５に平行となっており、当該ラック本体５１ａの長手状歯部は、左方に向いている。また、上壁部３６の貫通孔部３６ａは、図６にて示すごとく、Ｔ字状に形成されている。これにより、ラック本体５１ａを貫通穴部３６ａに上方から挿入する際に、上下両側案内ピン５１ｂ、５１ｃがラック本体５１ａと共に貫通孔部３６ａを挿通するようになっている。
【００４３】
上下両側案内ピン５１ｂ、５１ｃは、ラック本体５１ａの後壁から上下に位置するように後方に向け突出形成されており、これら上下両側案内ピン５１ｂ、５１ｃは、その各先端部にて、Ｌ字状補助壁部材３０ｃの立壁部３５に形成した案内溝部３５ａ内に摺動可能に係合している。
【００４４】
ここで、案内溝部３５ａは、Ｌ字状補助壁部材３０ｃの立壁部３５のうちラック本体５１ａの後壁に対する対向部位に上下方向に沿い長手状に形成されており、この案内溝部３５ａは、その上端部にて、Ｌ字状補助壁部材３０ｃの立壁部３５のうち上壁部３６の裏面に対する対応部位に位置する。また、案内溝部３５ａの下端部は、Ｌ字状補助壁部材３０ｃの立壁部３５の下端部に位置する。
【００４５】
また、上下両側案内ピン５１ｂ、５１ｃのうち、上側案内ピン５１ａは、ボタン部４１の上動終了位置への到達の際に案内溝部３５ａの上端部内に係合する位置にて、ラック本体５１ａの後壁に形成されており、また、下側案内ピン５１ｂは、ボタン部４１の原位置への到達の際に案内溝部３５ａの下端部内に係合する位置にて、ラック本体５１ａの後壁に形成されている。
【００４６】
コイルスプリング５２は、円柱部４３を上方に向けて付勢するように、補助壁部材３０ｃの上壁部３６の貫通穴部３６ａの外周縁部と円柱部４３の下端部との間に同軸的に介装されている。
【００４７】
また、駆動機構５０は、図３〜図６のいずれかにて示すごとく、ラック５１と共にラック−ピニオン機構５０ａを構成するピニオン５３と、両駆動歯車５４、５５と、セクター歯車５６と、ピニオン駆動用モータ５７及びセクター駆動用モータ５８とを有している。
【００４８】
ピニオン５３は、図３或いは図４に示すごとく、ラック本体５１ａと噛合可能に或いはラック本体５１ａとの噛合から解離可能に当該ラック本体５１ａの左側に位置するように、セクター歯車５６により後述のごとく支持されている。
【００４９】
駆動歯車５４は、セクター歯車５６と共に、次のようにピニオン駆動用モータ５７と同軸的に支持されている。
【００５０】
ピニオン駆動用モータ５７は、ステップモータからなるもので、このピニオン駆動用モータ５７は、その出力軸５７ａにて、Ｌ字状補助壁部材３０ｃの立壁部３５に形成した貫通孔部３５ｂ（図６参照）にその後方から回転自在に挿通されて、モータ本体５７ｂでもって、Ｌ字状補助壁部材３０ｃの立壁部３５にその後方から組み付けられている。
【００５１】
しかして、駆動歯車５４は、セクター歯車５６を介しこのセクター歯車５６と共に、ピニオン駆動用モータ５７の出力軸５７ａに同軸的に支持されている。これにより、駆動歯車５４は、ピニオン駆動用モータ５７の回転に連動して回転する。
【００５２】
ここで、駆動歯車５４は、平歯車からなるもので、この駆動歯車５４は、ピニオン駆動用モータ５７の出力軸５７ａの先端部に同軸的に支持されている。
【００５３】
セクター歯車５６は、セクター歯車部５６ａと、レバー部５６ｂとを有しており、セクター歯車部５６ａは、駆動歯車５４とＬ字状補助壁部材３０ｃの立壁部３５との間にてピニオン駆動用モータ５７の出力軸５７ａの中間部位に相対回動自在に同軸的に支持されている。なお、セクター歯車部５６ａは、両ストップリング５６ｃによりピニオン駆動用モータ５７の出力軸５７ａに抜け止め支持されている。
【００５４】
また、セクター歯車５６は、円弧状歯部５６ｄを有しており、この円弧状歯部５６ｄは、駆動歯車５５と噛合している。レバー部５６ｂは、セクター歯車部５６ａの外周部から当該セクター歯車部５６ａの半径方向へ外方に向け延出されている。ここで、レバー部５６ｂのセクター歯車部５６ａからの延出方向は、セクター歯車部５６ａの円弧状歯部５６ｄの円弧方向中央部とセクター歯車部５６ａの軸心部との結ぶ線に対し、鋭角（約１４０度）をなす。
【００５５】
しかして、上述したピニオン５３は、駆動歯車５４と噛合するように、ピニオン軸５３ａでもってレバー部５６ｂの延出端部と同軸的に支持されている。なお、ピニオン５３は、両ストップリング５３ｂにより、ピニオン軸５３ａに対し抜け止めされている。
【００５６】
駆動歯車５５は、次のようにしてセクター駆動用モータ５８と同軸的に支持されている。セクター駆動用モータ５８は、ステップモータからなるもので、このセクター駆動用モータ５８は、その出力軸５８ａにて、Ｌ字状補助壁部材３０ｃの立壁部３５に形成した貫通孔部３５ｃ（図６参照）にその後方から回転自在に挿通されて、モータ本体５８ｂでもって、Ｌ字状補助壁部材３０ｃの立壁部３５にその後方から組み付けられている。なお、貫通孔部３５ｃは、図６にて示すごとく、貫通孔部３５ｂに対し、図示斜め左側下方に位置している。
【００５７】
駆動歯車５５は、セクター駆動用モータ５８の出力軸５８ａに立壁部３５の前側にて同軸的に支持されており、この駆動歯車５５は、セクター歯車５６のセクター歯車部５６ａの円弧状歯部５６ｄと噛合する。
【００５８】
これにより、駆動歯車５５は、セクター駆動用モータ５８の正転（図３にて図示時計方向回転）に伴い同一方向に回転することで、セクター歯車部５６ａを逆方向（図３にて図示反時計方向）に回転してピニオン５３をラック５１との噛合から解離する。また、駆動歯車５５は、セクター駆動用モータ５８の逆転（図３にて図示反時計方向回転）に伴い同一方向に回転することで、セクター歯車部５６ａを逆方向（図３にて図示時計方向回転）に回転してピニオン５３をラック５１のラック本体５１ａと噛合させる。
【００５９】
本実施形態では、セクター歯車部５６ａの図３にて図示反時計方向への回転は、ストッパーピン３５ｄにより規制され、一方、セクター歯車部５６ａの図３にて図示時計方向への回転は、ストッパーピン３５ｅにより規制される。なお、両ストッパーピン３５ｄ、３５ｅは、図６にて示す位置にて、それぞれ、立壁部３５から前方へ突出されている。
【００６０】
次に、当該ボタン式演出操作装置の電気回路構成である制御回路６０について図７に基づき説明すると、この制御回路６０は、原位置センサＳ１、上動初期位置センサＳ２、上動終了位置センサＳ３及び感圧センサＳ４と、マイクロコンピュータ６０ａと、両駆動回路６０ｂ、６０ｃとを備えている。
【００６１】
原位置センサＳ１、上動初期位置センサＳ２、上動終了位置センサＳ３は、それぞれ、フォトインタラプタからなるもので、原位置センサＳ１は、その発光部及び受光部にて、Ｌ字状補助壁部材３０ｃの立壁部３５の案内溝部３５ａの下端両側部に互いに対向して設けられている。これにより、ラック５１の下側案内ピン５１ｃが立壁部３５の案内溝部３５ａの下端部にあるとき、当該原位置センサＳ１は、その発光部からの光に対する受光部による受光を、下側案内ピン５１ｃにより遮断されて、ラック５１の下動端位置（原位置）への到達を検出する。このことは、操作体４０の最下動位置（図３参照）への到達が原位置センサＳ１により検出されたことを意味する。
【００６２】
上動初期位置センサＳ２は、その発光部及び受光部にて、Ｌ字状補助壁部材３０ｃの立壁部３５の案内溝部３５ａの所定の上下方向中間部位に互いに対向して設けられている。ここで、上記所定の上下方向中間部位は、ピニオン５３のラック５１との噛合からの解離のもとにコイルスプリング５２の付勢に基づき上動されたラック５１の中間上動位置（下側案内ピン５１ｃの中間上動位置）に対応する。
【００６３】
これにより、ラック５１の下側案内ピン５１ｃが立壁部３５の案内溝部３５ａの上記所定の上下方向中間部位に達したとき、当該上動初期位置センサＳ２は、その発光部からの光に対する受光部による受光を、下側案内ピン５１ｃにより遮断されて、ラック５１の上記所定の上下方向中間部位への到達（上動初期位置への到達）を検出する。このことは、操作体４０の上記上動初期位置に対応する位置への到達が上動初期位置センサＳ２により検出されたことを意味する。
【００６４】
また、上動終了位置センサＳ３は、その発光部及び受光部にて、立壁部３５の案内溝部３５ａの上端部両側にて互いに対向して設けられている。これにより、ラック５１の上側案内ピン５１ｂが立壁部３５の案内溝部３５ａの上端部に達したとき、当該上動終了位置センサＳ３は、その発光部からの光に対する受光部による受光を、上側案内ピン５１ｂにより遮断されて、ラック５１の上動端位置（上動終了位置）への到達を検出する。このことは、操作体４０の最上動位置（図４参照）への到達が上動終了位置センサＳ３により検出されたことを意味する。
【００６５】
感圧センサＳ４は、操作体４０の円柱部４３の突起部４３ｂ上に設けられている。ここで、突起部４３ｂは、ボタン部４１の環状鍔部４１ｃに対向するように、円柱部４３の下端部からその径方向へ外方に向け突出している。
【００６６】
しかして、この感圧センサＳ４は、ボタン部４１の下動に伴い環状鍔部４１ｃにより押圧されて、ボタン部４１に対する押打操作を検出する。
【００６７】
マイクロコンピュータ６０ａは、図８にて示すフローチャートに従い、コンピュータプログラムを実行し、この実行中において、原位置センサＳ１、上動初期位置センサＳ２或いは上動終了位置センサＳ３の検出出力に基づき駆動回路６０ｂ或いは６０ｃを介しピニオン駆動用モータ５７或いはセクター駆動用モータ５８を駆動制御するに必要な処理を行うとともに、感圧センサＳ４の検出出力に基づき、遊技者にとり有利な演出をするに必要な処理を行う。
【００６８】
以上のように構成した本実施形態において、遊技者が、当該パチンコ遊技機により遊技を行っているものとする。現段階において、演出操作装置Ｇは、図１、図３及び図９にて示すごとく、駆動機構５０のラック５１をその下動端位置（原位置）に維持した状態にあるものとする。従って、操作体４０のボタン部４１は、図１にて示すごとく、球受け皿３０の環状上壁部３３の貫通穴部３３ａ内から上方を臨む位置にある。
【００６９】
このとき、駆動機構５０のセクター歯車５６が、図９にて示すごとく、図示時計方向に回動した状態でストッパーピン３５ｅに係止している。このため、ラック−ピニオン機構５０ａでは、ピニオン５３がラック５１のラック本体５１ａに適正な噛合力にて噛合している。このような噛合のもと、コイルスプリング５２は、その弾力に抗して、図９にて示すごとく、操作体４０の円柱部４３によりＬ字状補助壁部材３０ｃの上壁部３６上に圧縮されている。
【００７０】
このような状態において、当該パチンコ遊技機の副制御装置（図示しない）から単打指令或いは連打指令が出力されると、マイクロコンピュータ６０ａは、図８のフローチャートに従い、上記コンピュータプログラムの実行を開始する。なお、上記副制御装置は、当該パチンコ遊技機において、例えば、遊技盤本体Ｂの画像演出表示装置（図示しない）の演出表示の制御を行う。
【００７１】
しかして、ステップ１００において、セクター駆動用モータ正転処理がなされる。このセクター駆動用モータ正転処理では、セクター駆動用モータ５８の正転を表す正転出力が駆動回路６０ｃにマイクロコンピュータ６０ａから出力される。このため、セクター駆動用モータ５８は、駆動回路６０ｃにより駆動されて正転（図９にて図示時計方向回転）する。
【００７２】
このようにセクター駆動用モータ５８が正転すると、駆動歯車５５が、セクター駆動用モータ５８とともに正転し、セクター歯車５６が、駆動歯車５５との噛合のもとに、ストッパーピン３５ｅから解離して、図９の図示反時計方向に回動し、ピニオン５３が、セクター歯車５６のセクター歯車部５６ａの軸を中心として図９にて図示反時計方向へ変位して、ラック５１のラック本体５１ａとの噛合から解離する（図１０参照）。なお、ピニオン５３の変位はセクター歯車部５６ａのストッパーピン３５ｄに対する係止により停止する。従って、セクター歯車５６が図９の図示反時計方向へ回動し過ぎてセクター歯車部５６ａをラック本体５１ａに噛合させてしまうことはない。
【００７３】
上述のようにピニオン５３がラック５１との噛合から解離すると、ラック５１は、自由状態におかれて、コイルスプリング５２によりその弾力でもってＬ字状補助壁部材３０ｃの上壁部３６を基準に上方へ引かれる。
【００７４】
これに伴い、ラック５１においては、ラック本体５１ａが、上下両側案内ピン５１ｂ、５１ｃによりＬ字状補助壁部材３０ｃの立壁部３５の案内溝部３５ａに沿い案内されて上動する。ここで、このラック本体５１ａの上動は、コイルスプリング５２によりその弾力による瞬時の伸長でもって、迅速になされる。
【００７５】
このため、操作体４０の円柱部４３が、ラック５１により押動されて、このラック５１と同様に迅速に上動する。そして、ラック５１が上記上動初期位置に達すると、この上動初期位置が上動初期位置センサＳ２により検出される。なお、ラック５１の上記上動初期位置への到達は、操作体４０の上記上動初期位置に対する対応位置への到達を意味する。
【００７６】
しかして、次のステップ１１０において、ラック５１は上動初期位置に達したか否かが判定される。ここで、上述のように上動初期位置センサＳ２がラック５１の上記上動初期位置への到達を検出していれば、ステップ１１０において、ラック５１が上記上動初期位置に達していることからＹＥＳと判定される。
【００７７】
かかる判定後、次のステップ１１１においてセクター駆動用モータ逆転処理がなされる。これに伴い、セクター駆動用モータ５８が駆動回路６０ｃにより駆動されて逆転（図１０にて図示反時計方向回転）し、駆動歯車５５が、セクター駆動用モータ５８と同一方向に逆転してセクター歯車５６を図１０にて図示時計方向に回動させる。このため、ピニオン５３が、ラック本体５１ａ側へ変位してこのラック本体５１ａに噛合する。このとき、セクター歯車５６は、ストッパーピン３５ｅに係止する。
【００７８】
上述のようなステップ１１１の処理後、ステップ１２０において所定の待ち時間の経過か否かが判定される。ここで、当該所定の待ち時間の経過とは、ステップ１１０におけるＹＥＳとの判定後、ピニオン５３がラック本体５１ａに噛合するまでの時間をいう。
【００７９】
しかして、上記所定の待ち時間の経過が経過していれば、上述のごとくピニオン５３のラック本体５１ａに対する噛合が成立していることから、ステップ１２０における判定はＹＥＳとなる。
【００８０】
ついで、次のステップ１２１におけるセクター駆動用モータ停止処理において、セクター駆動用モータ５８がマイクロコンピュータ６０ａによる制御のもと駆動回路６０ｃにより停止される。
【００８１】
然る後、ステップ１２２においてピニオン駆動用モータ正転処理がなされる。これに伴い、ピニオン駆動用モータ５７が、駆動回路６０ｂにより駆動されて正転（図１１にて図示時計方向回転）する。これに伴い、駆動歯車５４が、ピニオン駆動用モータ５７と共に正転して、ピニオン５３を、ラック５１との噛合のもとに、逆転（図１１にて図示反時計方向回転）させる。すると、ラック５１が、上下両側案内ピン５１ｂ、５１ｃの案内溝部３５ａに沿う案内のもと、上述の上動初期位置から、操作体４０とともに、さらに上動する。ここで、当該ラック５１の上動速度は、ピニオン５３の回転速度に起因して、上述したラック５１の原位置から上動初期位置への迅速な上動速度よりも低い。
【００８２】
上述のようなラック５１のさらなる上動に伴い、ラック５１が、図１２にて示すごとく、上記上動終了位置に達すると、ラック５１の上側案内ピン５１ｂが、案内溝部３５ａの上端部内に達する。このため、ラック５１の上記上動終了位置の到達が上動終了位置センサＳ３により検出される。また、上述のごとく、ラック５１が上記上動終了位置に到達すると、操作体４０のボタン部４１が、その環状鍔部４１ｃにて、球受け皿３０における環状上壁部３３の貫通孔部３３ａの外周部にその下方から当接する。これにより、操作体４０は、そのボタン部４１にて、図４にて示すごとく、球受け皿３０の環状上壁部３３から大きく吐出した状態に維持される。なお、ラック５１の上記上動終了位置の到達は、操作体４０の最上動位置への到達を意味する。
【００８３】
ステップ１２２の処理後、次のステップ１３０において、ラックは上動終了位置に達したか否かが判定される。上述のごとく、ラック５１が上記上動終了位置に達していれば、上動終了位置センサＳ３の検出出力に基づき、ステップ１３０においてＹＥＳと判定される。
【００８４】
これに伴い、ステップ１３１におけるピニオン駆動用モータ停止処理において、ピニオン駆動用モータ５７が、マイクロコンピュータ６０ａによる制御のもと、駆動回路６０ｂにより停止される。
【００８５】
上述のような操作体４０のボタン部４１の突出にあわせて、「単打せよ」或いは「連打せよ」という意味の表示が、遊技盤本体Ｂの遊技盤に設けた画像演出表示装置においてなされると、遊技者は、当該画像演出表示装置の表示を視認して、操作体４０のボタン部４１をその押打壁部４１ｂにて単打或いは連打する。すると、ボタン部４１が上記単打或いは連打に応答してコイルスプリング４２に抗して感圧センサＳ４を押圧する。このため、感圧センサＳ４は、その押圧に基づき、単打或いは連打を検出する。
【００８６】
上述のようにステップ１３１の処理が終了した後、ステップ１４０において、単打或いは連打ありか否かが判定される。現段階において、上述のごとく、感圧センサＳ４が、単打或いは連打を検出していれば、ステップ１４０においてＹＥＳと判定される。
【００８７】
これに伴い、次のステップ１４１における演出内容調整指令処理において、上記画像演出表示装置の表示内容が、感圧センサＳ４の検出出力に基づく上記副制御装置の制御のもとに、単打或いは連打に対応する演出内容に調整される。なお、この調整は、ステップ１５０において所定の時間が経過したと判定されるまで継続される。
【００８８】
ステップ１５０の処理後、次のステップ１５１において、ピニオン駆動用モータ逆転処理がなされる。これに伴い、ピニオン駆動用モータ５７が、駆動回路６０ｂにより駆動されて、逆転（図１２にて図示反時計方向回転）し、駆動歯車５４が、同様に逆転し、ピニオン５３が逆転（図１２にて図示時計方向回転）に回転する。
【００８９】
このため、ラック５１が、ピニオン５３との噛合のもと、下動するとともに、操作体４０が円柱部４３にてコイルスプリング５２をその弾力に抗して圧縮しながら下動する。そして、ラック５１が原位置に戻ると、ステップ１６０においてＹＥＳと判定され、ステップ１６１におけるピニオン駆動用モータ停止処理において、ピニオン駆動用モータ５７が駆動回路６０ｂにより停止される。このとき、操作体４０が、最下動位置に達し、そのボタン部４１にて、図１にて示す状態に復帰している。
【００９０】
以上説明したように、本実施形態では、演出操作装置Ｇにおいて、駆動機構５０のラック５１が、上述のごとく、原位置から上動初期位置まで及びこの上動初期位置から上動終了位置までの２段階上動態様にて、上動速度を分けて２段階上動速度にて上動するから、操作体４０が、当該ラック５１と同様に、上記２段階上動態様にて、上動速度を分けて段階上動速度にて上動する。
【００９１】
しかも、ラック５１の原位置から上動初期位置までの上動にあっては、当該ラック５１は、そのピニオン５３からの解離に伴うコイルスプリング５２によりその瞬時の伸長に基づき、迅速に上動され、然る後、ピニオン５３との噛合ののもとに、このピニオン５３により、上記迅速な上動速度よりも遅い速度にて、大きく上動される。
【００９２】
従って、操作体４０のボタン部４１は、上述のような操作体４０の２段階上動態様による２段階上動速度でもって２段階にて大きく突出することとなる。このため、遊技者は、上述のようなボタン部４１の突出態様を強く認識することができる。その結果、遊技者は、ボタン部４１の上述のような突出に基づいて、必然的に当該ボタン部４１を単打或いは連打することとなるのは勿論のこと、この単打或いは連打による上述の調整演出内容を視認して、さらなる遊技の継続に移行することができる。
【００９３】
なお、本発明の実施にあたり、上記実施形態に限ることなく、次のような種々の変形例が挙げられる。
（１）上記実施形態にて述べたコイルスプリング５２は、これに限ることなく、例えば、板ばね又はゴム部材等のバネ手段であってもよい。
（２）上記実施形態にて述べた操作体４０は、上方に向けて突出するようになっているが、これに限らず、斜め上方へ前方に向けて操作体４０を突出させるようにしてもよい。
【符号の説明】
【００９４】
３３…環状上壁部、４０…操作体、４１…ボタン部、４２、５２…コイルスプリング、
４３…円柱部、５０…駆動機構、５１…ラック、５３…ピニオン、５４、５５…駆動歯車、
５６…セクター歯車、５７…ピニオン駆動用モータ、５８…セクター駆動用モータ。
【図１】
0005437883.tif 000002
【図２】
0005437883.tif 000003
【図３】
0005437883.tif 000004
【図４】
0005437883.tif 000005
【図５】
0005437883.tif 000006
【図６】
0005437883.tif 000007
【図７】
0005437883.tif 000008
【図８】
0005437883.tif 000009
【図９】
0005437883.tif 000010
【図１０】
0005437883.tif 000011
【図１１】
0005437883.tif 000012
【図１２】
0005437883.tif 000013